(57)【要約】【課題】本発明は、寸法変化が少なく寸法安定性に優れ、かつ建造物の間取りや部屋の配置及び開口部の大きさに合わせて、ドア本体部のサイズ・デザインを自由自在に変更可能な寸法可変安定ドアを提供すること。【解決手段】上方の一辺である横桟１１が扁平長方形又は略アーチ形であって、かつが扁平長方形の下辺の芯材と縦桟１２とを有するドア本体部１０からなり、前記芯材は異方性繊維を有する集成材４又はホルマール化の化学処理が施されたホルマール化木材などの寸法安定木材からなり、その略中央部において、腰掛け蟻継ぎ又は腰掛け鎌継ぎなどの凹凸接合部により横幅調整用スペーサー１３が嵌着接合され、かつ縦桟１２はその任意位置において同じく寸法安定木材からなる凹凸接合部により縦桟長調整用スペーサー１４を有することを特徴とする寸法可変安定ドア１である。【選択図】  図１
2004148605.tif 000002
【特許請求の範囲】
【請求項１】
上方の一辺である横桟が扁平長方形又は略アーチ形であって、かつ扁平長方形である下辺の芯材と縦桟とを有するドア本体部からなり、
前記芯材は寸法安定木材からなり、その略中央部において凹凸接合部により横幅調整用スペーサーが嵌着接合され、かつ前記縦桟はその任意位置において同じく寸法安定木材からなる凹凸接合部により嵌着接合された縦桟長調整用スペーサーを有することを特徴とする寸法可変安定ドア。
【請求項２】
寸法安定木材は木材繊維が多方向に配置された異方性繊維を有する集成材、又は木材繊維の水酸基架橋結合の一部をホルマール化して親水性を減少させるための化学処理が施されたホルマール化木材であることを特徴とする請求項１に記載の寸法可変安定ドア。
【請求項３】
凹凸接合部は腰掛け蟻継ぎ又は腰掛け鎌継ぎ或いはこれに準じ形状の着脱可能で高接合力を有する凹凸嵌合部であることを特徴とする請求項１に記載の寸法可変安定ドア。
【発明の詳細な説明】
【０００１】
【産業上の利用分野】
本発明は、寸法変化が少なく寸法安定性に優れ、かつ建造物の間取りや部屋の配置及び開口部の大きさに合わせて、ドア本体部のサイズ・デザインを自由自在に変更可能な寸法可変安定ドアに関するものである。
【０００２】
【従来技術】
図９に示すごとく、従来のフラッシュドア等のドア本体部９は、横桟等のヨコ芯材８とこれと垂直方向に接合された縦桟であるタテ芯材７とにより基板が構成されているのが一般的である。
【０００３】
そして、この基板であるヨコ芯材８とタテ芯材７との表面にメラミン化粧板や突板表面に塗装が施された、表面化粧部材６が貼着されたフラッシュドア等の各種ドアが知られている。
【０００４】
前記タテ芯材７とヨコ芯材８とは、一般にスギ、ヒノキ、松などの針葉樹の角材が使用されている。一方、前記表面化粧部材６は一般にラワン合板などがヨコ芯材８タテ芯材７との間に介在し、これら芯材と合板等の素材は全体が比較的短期間に成長する樹木からなる木材が使用されている。
【０００５】
しかしながら、従来のドアは、先行文献１によれば、「工場で生産された後、販売を通じて施工現場に搬送されている場合が多い。そのため、消費者である施主等はドアの材料やサイズ・デザインなどが製造時に既に決められているため、建造物の間取りや部屋の配置に合せて自由自在に選択することができない。」と記載されている。
【０００６】
一方、前記基材であるヨコ芯材８やタテ芯材７は、先行文献２によれば、「スギ、ヒノキ、松などの針葉樹の角材が使用されているため、これらは一般に成長が早く、しかし木材繊維が縦方向に偏向していることが多い。」と記載されている。
【０００７】
したがって、木材繊維の縦方向従って、この方向に応じて芯材７、８が寸法変化するため、ヨコ芯材８とタテ芯材７の直角の凹凸接合部において隙間を生じたり、伸長応力が強く働くことがある。そのため、ドア本体部９に歪みを生じ、その結果ドア全体に反りやねじれを生じる原因となる。
【０００８】
他方、メラミン化粧板等の表面化粧部材６の寸法変化率とヨコ芯材８やタテ芯材７である芯材及びその表面に貼着されているラワン合板等との寸法変化率が著しく異なるため、前記ドアの反りやねじれが顕著に発生するという問題点があった。
【０００９】
【先行文献１】
特開平１１−２３６７９０号公報
【先行文献２】
特開平０９−１２３１２７号公報
【００１０】
【発明が解決しようとする課題】
そこで、本発明は、前記従来のドアの問題点に鑑みてなされたものであり、本発明が解決しようとする課題は、寸法変化が少なく寸法安定性に優れ、かつ建造物の間取りや部屋の配置及び開口部の大きさに合せて、ドア本体部のサイズ・デザインを自由自在に変更可能な寸法可変安定ドアを提供することを目的とするものである。
【００１１】
【課題を解決するための手段】
上記課題を解決するため、本発明の採った手段は次に示す通りである。なお、以下本発明を具体的に説明するために、実施例においても使用する図面の符号を用いて詳細に説明する。
【００１２】
請求項１に記載の発明の採った手段は、上方の一辺である横桟１１が扁平長方形又は略アーチ形であって、かつ扁平長方形である下辺の芯材と縦桟１２とを有するドア本体部１０からなり、
前記芯材は異方性繊維を有する集成材４又はホルマール化の化学処理が施されたホルマール化木材などの寸法安定木材からなり、
その略中央部において、腰掛け蟻継ぎ又は腰掛け蟻継ぎなどの凹凸接合部１５により横幅調整用スペーサー１３が嵌着接合され、かつ縦桟１２はその任意位置において同じく寸法安定木材からなる凹凸接合部により嵌合接合された縦桟長調整用スペーサー１４を有することを特徴とする寸法可変安定ドアを提供するものである。これにより、寸法安定性が優れ、反りやねじれが少なく、自由自在にサイズ・デザインの変更可能な寸法可変安定ドア１を得ることができる。
【００１３】
次に、請求項２に記載の発明の採った手段は、寸法安定木材は木材繊維が多方向に配置さ木材繊維た異方性繊維を有する集成材、又は木材繊維の水酸基架橋結合の一部をホルマール化して親水性を減少させるための化学処理が施されたホルマール化木材であることを特徴とする寸法可変安定ドアを提供するものである。これにより、木材繊維が多方向に配置された異方性繊維の集成材４や木材繊維の親水性が減少したホルマール化木材の使用により、寸法変化が少なく寸法安定性に優れた寸法可変安定ドア１を得ることができる。
【００１４】
そして請求項３に記載の発明の採った手段は、凹凸接合部は腰掛け蟻継ぎ（イ）又は腰掛け鎌継ぎ（ロ）或いはこれに準じた形状の着脱可能で高接合力を有する凹凸嵌合部であることを特徴とする寸法可変安定ドア１を提供するものである。
これにより、建造物の間取りや部屋の配置により自由自在にサイズ・デザインが変更可能となり、また着脱可能で高接合力の木材繊維を有する寸法可変安定ドア１を得ることができる。
【００１５】
このように本発明は、ドア本体部１０の骨材となる横桟１１と縦桟１２とに着脱可能な横幅調整用スペーサー１３と縦桟長調整用スペーサー１４とを有することにより、横桟１１と縦桟１２とのサイズ・デザインを自由自在に変更し、さらに横桟１１と縦桟１２を構成する芯材は寸法安定木材であるため、寸法変化が少なく寸法安定性に優れた寸法可変安定ドア１を提供することができる。
【００１６】
【発明の実施の形態】
本発明に係る寸法可変安定ドア１は、横桟１１と縦桟１２の芯材が寸法安定木材からなる。ここで寸法安定木材とは、木材繊維が多方向に配置された異方性繊維を有する集成材４又は木材繊維の水酸基架橋結合の一部がホルマール化されたホルマール化木材である。
【００１７】
そして集成材４は、所定厚さの短形木片を木材繊維が多方向に配置されるよう多数積層し（図７上段参照）、相互に接合されたものである。これにより木材繊維は多方向に配置されることになるため、異方性繊維となる。そのため、従来の集成材や合板は略同一方向に木材繊維が偏向しているものとは異なり、本発明の集成材は寸法変化が小さくなり、従って寸法安定性が優れるため反りやねじれが少なくなる。これは木材繊維の縦方向に伸縮を生じて、寸法変化を生じることを回避できるからである。
【００１８】
前記所定厚さの短形木片は、例えば所定厚さが１０〜２５ミリメートルで、タテ２０〜４０ミリメートル、ヨコ１５〜１００ミリメートルであることが好ましい。これにより木造建築物の廃材や木工家具製作時に廃出される端材を有効利用することが出来て、木材資源の有効活用に役立つことが出来るからである。
【００１９】
また、集成材４は前記短形木片を多数積層し相互に接合されている。接合には、例えばレゾルシノール樹脂、レゾルシノール・フェノール樹脂、オレフィン・無水マレイン酸樹脂等が用いられて、冷圧成形プレスにより製造される。そのため、樹脂注入による強化木材のごとく、高強度で耐久性に優れた本発明の集成材４を得ることができる。
【００２０】
一方、集成材４が建築廃材や木工端材であるの短形木片により構成される場合には、広葉樹を主体に選別したものを使用することが好ましい。これにより、針葉樹からなる従来の集成材に比較して、表面硬度が高く、気乾比重が大きく、引張り強度や圧縮強度、さらには曲げ強度やせん断強度に優れた本発明の集成材４を得ることができる。
【００２１】
前記広葉樹としては、例えばアピトン、ミズナラ、ブナ、ケヤキ、カバ、イタカエデ、シオジ、タモ、ニレ等であることが好ましい。これらは、前記のごとく表面強度や機械強度が針葉樹に比較して優れているからである。
【００２２】
一方、前記集成材４は、その表面に突板、ラワン薄板等の化粧材を貼着したもの（図７下段参照）であることが好ましい。これにより、集成材４の表面の短形木片の接合面が見えなくなり、見栄え、外観が向上することになるからである。
【００２３】
また集成材４の表面から集成材４の芯部へ空気中の水分が侵入しにくくなる。これにより集成材４の寸法安定性は一層向上することになり、反りやねじれも生じにくくなる。寸法変化や反り及びねじれは集成材４中の水分の移動により主として左右され易いからである。
【００２４】
前記ホルマール化木材とは、ホルムアルデヒドの作用により、木材の水酸基間に架橋結合を形成し、木材繊維中の水酸基（ＯＨ基）を減少させた木材である。ドア本体部中の水酸基が減少することにより、木材の芯部に空気中の水分が侵入しても、木材繊維の伸長が減少する。これにより、木材の寸法変化が減少して、寸法安定性に優れることになる。
【００２５】
前記横幅調整用スペーサー１３及び縦桟長調整用スペーサー１４は、前記横桟１１及び縦桟１２の一部を構成することになるため、横桟１１及び縦桟１２と同様に寸法安定木材より構成する。その結果、寸法安定性に優れ機械的強度が優れた横幅調整用スペーサー１３及び縦桟長調整用スペーサー１４が凹凸接合部により嵌着接合されることになる。これにより、ドア本体部１０の横桟１１と縦桟１２とは、強固な接合力のある凹凸接合部１５を有する芯材を構成する。
【００２６】
前記凹凸接合部１５は、腰掛け蟻継ぎ（イ）又は腰掛け鎌継ぎ（ロ）或いはこれに準じた形状（図３上段及び下段参照）であることが好ましい。ここで腰掛け蟻継ぎ（イ）、腰掛け蟻継ぎ（ロ）に準じた形状とは、例えば蟻ほぞ、扇ほぞ、杓子ほぞ、隠し目違いほぞなどをいう。これらは、いずれも高接合力を有し、強固な凹凸嵌合部を形成することになる。
【００２７】
そして、前記凹凸接合部１５は、着脱可能で容易に凹凸嵌合部を形成することになるが、更に好ましくは、補強用の接合具を使用することが好ましい。補強用の接合具としては、ねじ釘又はこれに準じたねじなど（図５参照）を使用することができる。
【００２８】
これにより、補強用の接合具３や凹凸接合部１５の取り付けや取り外しにより、横幅調整用スペーサー１３または縦桟長調整用スペーサー１４が着脱可能となり、自由自在にサイズ・デザインが変更可能となり、建造物の間取りの部屋の配置や開口部の大きさに適合させた寸法可変安定ドア１を提供することが出来る。
【００２９】
また、上方の一辺である横桟１１は、扁平長方形又は略アーチ形であるため、和風の部屋では扁平長方形を、洋風の部屋では略アーチ形の横桟１１を採用することが好ましい。
これにより、各部屋の雰囲気にマッチしたデザインの寸法可変安定ドア１を得ることができる。
【００３０】
そして、横桟１１、縦桟１２、横幅調整用スペーサー１３、縦桟長調整用スペーサー１４は、いずれもドア本体部１０の芯材を構成するため、木目模様や抽象模様の化粧材２（図２参照）を有するものであることが好ましい。
【００３１】
以下、本発明の好ましい実施例について図面を参照しながら説明する。勿論、下記の実施例は本発明の一態様であるから、本発明の技術的範囲は、これらの実施例に制限されるものではない。
（実施例１）
本例の寸法可変安定ドア１は、ドア本体部１０の骨格部において、着脱可能な横幅調整用スペーサー１３及び縦桟長調整用スペーサー１４を、それぞれ横桟１１及び縦桟１２の略中央部において有する。
そして、ドア本体部１０の骨格部である芯材は、全て図１〜図５に示すごとく、凹凸接合部１５により嵌着接合されている。
【００３２】
また、横桟１１、縦桟１２、横幅調整用スペーサー１３、縦桟長調整用スペーサー１４は、図６及び図７に示すごとく、寸法安定木材４により構成されている。該寸法安定木材４は、木材繊維が多方向に配置された異方性繊維を有する。
しかも、寸法安定木材４は図６及び図７に示すごとく、木材繊維が相互に異なる短形木片４１、４２が交互に積層接合された木材繊維ている。
【００３３】
接合は、レゾルシノール・フェノール樹脂を使用して一昼夜冷却成形プレスにより強固に接着されている。そのため、距形木片は相互に高接合力を有しており、全体として曲げ強度、せん断強度などの機械的強度に優れたものとなる。
【００３４】
そして、集成材４は、図７の下段に示すごとく、表面にラワン薄板の化粧材を有することが好ましい。そのため、距形木片の接合面の見えない見栄え、外観のよいものとなる。
【００３５】
また、前記凹凸接合部１５は、図３の上段に示すごとく、腰掛け蟻継ぎ（イ）により嵌着接合されている。そのため、該凹凸接合部１５は高接合力の凹凸嵌合部を構成してある。そのため、凹凸接合部１５は高接合力を有する。
【００３６】
しかも、前記凹凸接合部１５は、図４に示すごとく、両端部と略中央部において、相互に異なる方向のほぞを形成している。そのため、凹凸接合部１５は一層高接合力を有し、特にねじれ応力やせん断応力に対して抵抗力が増大する。
【００３７】
また、凹凸接合部１５は、図５に示すごとく、ねじ釘３による補強用の接合具により強固に凹凸嵌合部を形成している。一方、ねじ釘３と凹凸接合部１５の腰掛け蟻継ぎ（イ）を取り外すことにより、凹凸嵌合部は解除される。これにより、凹凸接合部１５は着脱可能５となり、横桟１１又は縦桟１２のサイズ・デザインが変更可能となる。
【００３８】
また、ドア本体部１０は、図２に示すごとく、メラミン化粧板などの化粧材２を有する。これにより、ドア本体部１０の表裏は優れたデザイン性を有することになる。
【００３９】
一方、前記メラミン化粧板などの化粧材２は寸法変化が小さく寸法安定性に優れるため、その芯材である横桟１１、縦桟１２、横幅調整用スペーサー１３、縦桟長調整用スペーサー１４と同様に寸法変化が小さく寸法安定性に優れている。
【００４０】
したがって、本例によれば、建造物の間取りや部屋の配置に適合したサイズ・デザインが自由自在で変更可能な寸法可変安定ドア１を得ることができる。
（実施例２）
本例の寸法可変安定ドア１は、図８に示すごとく、実施例１における上方の一辺である横桟１１を略アーチ形にし、芯材である横桟１１、縦桟１２、横幅調整用スペーサー１３、縦桟長調整用スペーサー１４をそれぞれホルマール化木材により構成したものである。その他は、実施例１と同様にした。これにより、洋室にふさわしくデザインに優れた寸法可変安定ドア１を得ることができる。
【００４１】
なお、以上のごとく、本発明に係る寸法可変安定ドア１を実施例１及び２により説明したが、本発明の目的である芯材を寸法安定木材により構成することにより寸法変化が小さくて寸法安定性に優れ、サイズ・デザインが自由自在に変更可能な寸法可変安定ドア１を提供することを逸脱しない範囲において、種々の改良が可能である。
【００４２】
【発明の効果】
本発明は、請求項１〜請求項３に記載の発明により構成されているため、下記のごとき諸々の優れた効果を発揮するものである。
【００４３】
請求項１に記載の発明によれば、寸法変化が小さく寸法安定性に優れ、ドア本体部１０の反りやねじれが少なく、自由自在にサイズ・デザインの変更可能な寸法可変安定ドア１を得ることができる。
【００４４】
また、請求項２に記載の発明によれば、木材繊維が多方向に配置された異方性繊維の集成材４や木材繊維の親水性が減少したホルマール化木材の使用により、寸法変化が少なく寸法安定性に優れた寸法可変安定ドア１を得ることができる。
【００４５】
そして、請求項３に記載の発明によれば、建造物の間取りや部屋の配置により自由自在にサイズ・デザインが変更可能となり、また着脱可能で高接合力の凹凸嵌合部を有する寸法可変安定ドア１を得ることができる。
【００４６】
以上のごとく、本発明によれば、建造物の間取りや部屋の配置の開口部の大きさに適応したサイズ・デザインが自由自在に変更可能な寸法可変安定ドア１を提供することが出来る。また、寸法変化が小さくて寸法安定性に優れ、反りやねじれの発生の少ない寸法可変安定ドア１を提供することができる。
【図面の簡単な説明】
【図１】本発明の実施例１の寸法可変安定ドアの正面図である。
【図２】同じ実施例１１の寸法可変安定ドアの一部切欠の正面図である。
【図３】同じく実施例１の凹凸接合部及び他の態様の斜視図である。
【図４】同じく実施例１の横桟の平面図及びこれに対応する側面図である。
【図５】同じく実施例１の補強用の接合具を使用した横桟の断面図である。
【図６】実施例１で使用する集成材の斜視図である。
【図７】同じく実施例１で使用する集成材の斜視図である。
【図８】実施例２の寸法可変安定ドアの正面図である。
【図９】従来のドアの一部切欠の正面図である。
【符号の説明】
１          寸法可変安定ドア
１０        ドア本体部
１１        横桟
１２        縦桟
１３        横幅調整用スペーサー
１４        縦桟長調整用スペーサー
４            集成材
（イ）    腰掛け蟻継ぎ
（ロ）    腰掛け鎌継ぎ
【図１】
2004148605.tif 000003
【図２】
2004148605.tif 000004
【図３】
2004148605.tif 000005
【図４】
2004148605.tif 000006
【図５】
2004148605.tif 000007
【図６】
2004148605.tif 000008
【図７】
2004148605.tif 000009
【図８】
2004148605.tif 000010
【図９】
2004148605.tif 000011